(57)【要約】      （修正有）【課題】ねじ込み時の対象物の亀裂および屑の溜まりを抑制するねじを提供する。【解決手段】ねじ山が形成されている軸部２、軸部の一端に形成されており軸部側に座面が形成されている頭部１１、および、軸部と頭部との間に形成されている首部を備えるねじである。頭部の座面には、頭部の軸方向の中心線が位置している平面と異なる平面に位置している径方向刃１２が複数形成されている。首部の側壁、または、軸部の首部側の端部には、軸方向刃３が複数形成されている。軸方向刃は、軸部の首部側の端部まで形成されている。頭部に形成されている複数の斜めの径方向刃１２は、ねじ孔の開口に生じる細毛状屑を除去し平坦にすることができ、軸方向刃３は、軸部のねじ山により形成されるねじ孔を更に削り、ねじ孔を大きく広大させ、ねじ頭が容易にねじ込まれるようにする。【選択図】図１
0003187217.tif 000002
【実用新案登録請求の範囲】
【請求項１】
ねじ山が形成されている軸部、当該軸部の一端に形成されており前記軸部側に座面が形成されている頭部、および、前記軸部と前記頭部との間に形成されている首部を備えるねじであって、
前記頭部の前記座面に、前記頭部の軸方向の中心線が位置する平面と異なる平面に位置している径方向刃が複数形成されており、
前記首部の側壁、または、前記軸部の前記首部側の端部に、軸方向刃が複数形成されており、
前記軸方向刃は、前記軸部の前記首部側の端部まで形成されていることを特徴とするねじ。
【請求項２】
前記軸方向刃は、所定角度傾斜していることを特徴とする請求項１に記載のねじ。
【請求項３】
前記軸方向刃は、軸方向と平行する直線状であることを特徴とする請求項１記載のねじ。
【請求項４】
前記径方向刃は、カーブ状であることを特徴とする請求項１記載のねじ。
【請求項５】
前記径方向刃は、径方向に対して斜めに伸びる直線状であることを特徴とする請求項１記載のねじ。
【請求項６】
前記軸方向刃は、径方向内側に凹んでいるカーブ状であることを特徴とする請求項１記載のねじ。
【請求項７】
前記軸方向刃は、径方向外側に突出しているカーブ状であることを特徴とする請求項１記載のねじ。
【請求項８】
前記軸方向刃は、前記頭部の軸方向と直交する方向の断面が三角形であり、前記首部の側壁とは反対側の縁部が尖っていることを特徴とする請求項１記載のねじ。
【考案の詳細な説明】
【技術分野】
【０００１】
本考案は、ねじに関する。
【背景技術】
【０００２】
ねじは、対象物の材質により、異なる構成を有する。ねじは、孔あけ速度、屑を除去する速度、およびねじ込時の速度などを考慮する必要がある。
ねじが対象物にねじこまれる時、生じる屑はねじ孔の周囲から外に排出される。ここで、対象物が亀裂し、屑の排出がおそくなる原因は、ねじ孔の周囲に屑が溜まっていることである。また、ねじの頭部の外径が、軸部のねじ山によりあけたねじ孔の内径より大きいことも考えられる。
【考案の開示】
【考案が解決しようとする課題】
【０００３】
本考案は、対象物の亀裂および屑の溜まりを抑制するねじを提供することを目的としている。
【課題を解決するための手段】
【０００４】
本考案によるねじは、ねじ山が形成されている軸部、軸部の一端に形成されており軸部側に座面が形成されている頭部、および、軸部と頭部との間に形成されている首部を備えるねじである。頭部の座面には、頭部の軸方向の中心線と異なる平面に位置している径方向刃が複数形成されている。首部の側壁、または、軸部の首部側の端部には、軸方向刃が複数形成されている。軸方向刃は、軸部の首部側の端部まで形成されている。
【０００５】
また、軸部のねじ山により開かれたねじ孔を掻き回して削り、その削り屑を排出させ、ねじ孔を広大し、頭部が対象物の中に容易にねじこまれるようにするために、軸方向刃は首部を超えて、軸部の首部側の端部まで形成されている。
【０００６】
本考案では、頭部に形成されている複数の斜めの径方向刃は、ねじ孔の開口に生じる細毛状屑をきれいに除去し平坦にすることができ、軸方向刃は、軸部のねじ山により形成されるねじ孔を更に削り、ねじ孔を大きく広大させ、ねじ頭が容易にねじ込まれるようにする。
【図面の簡単な説明】
【０００７】
【図１】本考案の第一実施形態によるねじを示す側面図である。
【図２】本考案の第二実施形態によるねじを示す側面図である。
【図３】本考案の第三実施形態によるねじを示す側面図である。
【図４】図３のＢ−Ｂ線の断面図である。
【図５】本考案の第四実施形態によるねじを示す側面図である。
【図６】図５のＣ−Ｃ線の断面図である。
【図７】本考案の第五実施形態によるねじを示す側面図である。
【図８】図７のＤ−Ｄ線の断面図である。
【図９】本考案の第六実施形態によるねじを示す側面図である。
【図１０】本考案の第七実施形態によるねじを示す側面図である。
【図１１】本考案の第八実施形態によるねじを示す断面図である。
【図１２】本考案の第九実施形態によるねじを示す断面図である。
【図１３】本考案の第十実施形態によるねじを示す側面図である。
【図１４】本考案の第十一実施形態によるねじを示す側面図である。
【図１５】本考案の第十二実施形態によるねじを示す側面図である。
【図１６】本考案の第十三実施形態によるねじを示す側面図である。
【図１７】本考案の第十四実施形態によるねじを示す側面図である。
【図１８】本考案の第十五実施形態によるねじを示す側面図である。
【図１９】本考案の第十六実施形態によるねじを示す側面図である。
【図２０】本考案の第十七実施形態によるねじを示す側面図である。
【考案を実施するための形態】
【０００８】
本考案の第一実施形態および第二実施形態によるねじを図１および図２に示す。ねじは鍛造で成形されており、ねじ頭１と軸部２とを備える。ねじ頭１は頭部１１、および、頭部１１と軸部２とを接続する首部を有する。この首部の下に軸部２がある。ねじ頭１の頭部１１の軸部２側に形成されている座面には小さい径方向刃１２が斜めに複数形成されている。径方向刃１２は、ねじ頭１の軸方向中心線が位置する平面と異なる平面に位置している。径方向刃１２は、斜めの直線状（図６が示す）か斜めのカーブ状（図４が示す）に形成されている。径方向刃１２は、ねじ孔の開き口で発生する細毛状の屑を削り取ることができる。これで、ねじ孔の開口はきれいな平坦状になり、ねじ頭１はしっかりとねじ孔の開口に当接する。
【０００９】
更にねじ頭１の首部には、軸方向刃３が複数形成されている。軸方向刃３は、頭部１１の座面の下から首部を越えて軸部２の頭部１１側の端部まで伸びている。軸方向刃３が軸部２での延伸距離はＬである。軸方向刃３は、図１、２、３、５、７、図１３、１６に示すように直線状に形成されている。軸方向刃３は、図１５および図１８に示すように内側に凹むカーブ状（内窪みカーブ状）に形成されている。又、図１４、１７、１９に示すように、軸方向刃３は、外側に突出するカーブ状に形成されている。図１から図１２は所定傾斜角度を有するカーブ状の軸方向刃３を示し、図１３から図２０は傾斜角度がない直線状の軸方向刃３を示す。
【００１０】
図３と図４に示すように、ねじ頭１の頭部１１に形成されている径方向刃１２は、延長線がねじ頭１の軸方向中心線と交叉しない。径方向刃１２の刃線はカーブ状にしている。軸方向刃３は図５と図６が示すように、所定傾斜角度Ａを有し、斜めのカーブ状に形成されている。径方向刃１２の刃線は、ねじ頭１の軸方向中心線と交叉しない斜めの直線状である。
【００１１】
図７および図８は第五実施形態を示す。径方向刃１２は、延長線がねじ頭１の軸方向中心線と交叉しない。又、刃線は斜めの直線状であり、軸方向刃３は所定傾斜角度Ａをもつ斜めの直線状であることを示す。
【００１２】
図９に示すのは、ねじ頭１の頭部１１の座面が平坦となっている第六実施形態であり、図１０に示すのは、ねじ頭１の頭部１１の座面が窪んでいる第七実施形態である。
【００１３】
図１１は第八実施形態を示す。ねじ頭１の頭部１１の座面に形成されている径方向刃１２は、延長線がねじ頭１の軸方向中心線と交差している。また、刃線は、斜めのカーブ状に形成されている。軸方向刃３は、所定傾斜角度Ａを有し、斜めの直線状に形成されている。
【００１４】
図１２は第九実施形態を示す。ねじ頭１の頭部１１の下端に形成されている径方向刃１２は、延長線がねじ頭１の軸方向中心線と交叉せず、斜めの直線状である。軸方向刃３は所定傾斜角度Ａを有し斜めのカーブ状に形成されている。
【００１５】
図１３と図１６は、第十実施形態および第十三実施形態を示す。ねじ頭１の首部に形成され、軸部２の上部まで伸びる軸方向刃３は傾斜角度を有しない。
【００１６】
図１４、図１７、および図１９は、第十一実施形態、第十四実施形態、および第十六実施形態を示す。ねじ頭１の首部に形成され、軸部２の上部まで伸びる軸方向刃３は、外に突出するカーブ状に形成されている。
【００１７】
図１５および図１８は、第十二実施形態、第十五実施形態を示す。ねじ頭１の首部に形成されており、軸部２の上部まで伸びる軸方向刃３は、中に窪んだカーブ状に形成されている。
【００１８】
図２０は第十七実施形態を示す。ねじ頭１の首部に形成されている軸方向刃３は、軸部２の首部側端部まで所定距離Ｌ伸びている。また、軸方向刃３は、頭部１の軸方向と直交する方向の断面が三角形であり、前記首部の側壁とは反対側の縁部が尖っている。
【００１９】
本考案の軸方向刃３は軸部２のねじ山であけられるねじ孔を掻き回し、ねじ孔を更に削り取って、ねじ孔を更に大きく拡げさせ、屑を排出させる。ねじ頭１は、ねじ孔にねじ込まれており、径方向刃１２はねじ孔の開口に生じる細毛状の屑をきれいに削り取るのでねじ頭１の頭部１１の座面がしっかりとねじ孔の上に当接可能にする。
【符号の説明】
【００２０】
１：ねじ頭、
１１：頭部、
１２：径方向刃、
２：軸部、
３：軸方向刃、
Ａ：傾斜角度、
Ｌ：距離。
【図１】
0003187217.tif 000003
【図２】
0003187217.tif 000004
【図３】
0003187217.tif 000005
【図４】
0003187217.tif 000006
【図５】
0003187217.tif 000007
【図６】
0003187217.tif 000008
【図７】
0003187217.tif 000009
【図８】
0003187217.tif 000010
【図９】
0003187217.tif 000011
【図１０】
0003187217.tif 000012
【図１１】
0003187217.tif 000013
【図１２】
0003187217.tif 000014
【図１３】
0003187217.tif 000015
【図１４】
0003187217.tif 000016
【図１５】
0003187217.tif 000017
【図１６】
0003187217.tif 000018
【図１７】
0003187217.tif 000019
【図１８】
0003187217.tif 000020
【図１９】
0003187217.tif 000021
【図２０】
0003187217.tif 000022